【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
第１の部材を第２の部材から外すための海中システムにおいて、
過荷重スリーブ壁、
該過荷重スリーブ壁に角度をなして配置された過荷重圧力壁、及び
前記第２の部材の方に配置されたコレットスリーブ過荷重アクチュエータ
を有しており、前記第１の部材に連結可能な過荷重外側スリーブと、
該過荷重外側スリーブに連結された過荷重圧力部材と、
前記過荷重外側スリーブに摺動可能に連結された過荷重ピストンと、
該過荷重ピストンに連結されたピストン延長部と
を備えており、前記過荷重スリーブ壁、前記過荷重圧力壁、前記過荷重ピストン及び前記ピストン延長部に囲まれた体積が、その内部に流体を収容するための縮小可能な過荷重貯蔵室を形成しており、
前記ピストン延長部に連結され、受入面を有するコネクタと、
該コネクタに連結され、少なくとも１つの指状体を有するコレットと、
前記第２の部材に連結可能であり、前記コネクタの受入面と着脱可能に係合可能な合わせ面を有する係合部材と、
前記コレットスリーブ過荷重アクチュエータの方に配置され、前記コレットスリーブ過荷重アクチュエータと選択的に係合可能なコレットスリーブ過荷重受け部、
コレットスリーブ壁を介して配置された第１のポート、
前記コレットスリーブ壁を介して配置された第２のポート、及び
前記第１のポートと前記第２のポートとの間に配置されたコレットスリーブピストン
を有しており、前記コレットスリーブ壁を有し、前記コネクタ及び前記過荷重外側スリーブと摺動可能に係合可能なコレットスリーブと
を更に備えており、前記コレットスリーブ壁、前記コネクタ及び前記コレットに囲まれた体積が、前記コレットスリーブピストンが摺動可能なコネクタ貯蔵室を形成しており、
前記過荷重ピストンは、前記過荷重スリーブ壁と密閉状態で係合し、引張応力が前記第１の部材と前記第２の部材との間に生じたとき、前記過荷重貯蔵室内の流体の圧力を増加させることが可能であり、
前記過荷重ピストンが前記過荷重外側スリーブに対して移動し、前記過荷重貯蔵室を少なくとも部分的に縮小することを可能にするために、前記過荷重圧力部材は、流体の圧力が所定の値を超えると、流体が前記過荷重貯蔵室から流出することを可能にし、
前記コレットスリーブ過荷重アクチュエータは、前記過荷重ピストンが前記過荷重外側スリーブに対して移動させられるとき、前記コレットスリーブ過荷重受け部と係合し、前記コレットスリーブを前記第２の部材から離れて長手方向に移動させることが可能であり、
前記指状体を前記係合部材からラジアル方向の外側に引っ張り、前記指状体を前記係合部材から外し、前記第２の部材を外すために、前記コレットスリーブは、該コレットスリーブが前記第２の部材から離れて長手方向に移動させられるとき、前記指状体と係合可能であることを特徴とするシステム。
【請求項２】
前記コレットスリーブは、コレットスリーブ取外し面を有するコレットスリーブ凹部を更に有しており、前記コレットスリーブ取外し面は、前記コレットの指状体を選択的に係合し、前記指状体を前記係合部材からラジアル方向に外すことが可能であることを特徴とする請求項１に記載のシステム。
【請求項３】
前記過荷重貯蔵室は、元の位置で再度充填されることが可能であり、
流体が前記過荷重圧力部材を通って流出した後、過荷重部分の再設定を可能にするために、前記過荷重圧力部材は元の位置で取り替えられ得ることを特徴とする請求項１に記載のシステム。
【請求項４】
第１の部材を第２の部材から外すための海中システムにおいて、
前記第１の部材に接続可能な第１の部分と、
前記第２の部材に接続可能な第２の部分と、
該第２の部分に対して摺動可能に配置されたコレットスリーブ、及び
前記第１の部分に摺動可能に連結されており、前記第２の部分に対する前記コレットスリーブの摺動可能な移動により前記第２の部分と選択的に係合可能な複数の可撓性の指状体を有するコレット、
を有しており、前記第１の部分に摺動可能に連結され、前記第２の部分を着脱可能に係合することが可能な接続部分と、
前記第１の部分に連結され、前記第１の部材と前記第２の部材との間の引張応力が所定の応力を超えると、前記接続部分の係合を無効にすることが可能な過荷重部分と
を備えており、該過荷重部分は、
その内部に流体を収容するための縮小可能な過荷重貯蔵室と、
過荷重スリーブ壁、
該過荷重スリーブ壁に角度をなして配置された過荷重圧力壁、及び
前記第２の部材の方に配置されたコレットスリーブ過荷重アクチュエータ
を有しており、前記第１の部材に連結可能な過荷重外側スリーブと、
該過荷重外側スリーブに連結されており、所定量未満の圧力での前記過荷重貯蔵室からの流体の流出を制限することが可能な過荷重圧力部材と、
前記過荷重外側スリーブに摺動可能に連結された過荷重ピストンと、
該過荷重ピストンに連結されたピストン延長部と
を有しており、前記過荷重スリーブ壁、前記過荷重圧力壁、前記過荷重ピストン及び前記ピストン延長部に囲まれた体積が、前記過荷重貯蔵室を形成していることを特徴とするシステム。
【請求項５】
前記過荷重貯蔵室は、元の位置で再度充填されることが可能であり、前記過荷重圧力部材は、前記過荷重部分の再設定を可能にするために元の位置で取り替えられ得ることを特徴とする請求項４に記載のシステム。
【請求項６】
前記過荷重ピストンは、前記過荷重スリーブ壁と密閉状態で係合し、引張応力が前記第１の部材と前記第２の部材との間で生じると、前記過荷重貯蔵室内の流体の圧力を増加させることが可能であり、
前記過荷重ピストンを前記過荷重外側スリーブに対して移動させ、前記過荷重貯蔵室を少なくとも部分的に縮小するために、前記過荷重圧力部材は、流体の圧力が所定の値を超えると、流体が前記過荷重貯蔵室から流出することを可能にすることを特徴とする請求項４に記載のシステム。
【請求項７】
前記接続部分は、前記過荷重部分に連結され、受入面を有するコネクタを更に有しており、前記コレットは、前記コネクタに連結されており、前記第２の部分は、前記コネクタの受入面と着脱可能に係合可能な合わせ面を有する係合部材を備えており、
前記コレットスリーブは、コレットスリーブ壁を有しており、前記コネクタ及び前記過荷重部分と摺動可能に係合可能であり、
前記過荷重部分の方に配置されたコレットスリーブ過荷重受け部、
前記コレットスリーブ壁を介して配置された第１のポート、
前記コレットスリーブ壁を介して配置された第２のポート、及び
前記第１のポートと前記第２のポートとの間に配置されたコレットスリーブピストン
を更に有しており、
前記コレットスリーブ壁、前記コネクタ及び前記コレットに囲まれた体積が、前記コレットスリーブピストンが摺動可能なコネクタ貯蔵室を形成していることを特徴とする請求項４に記載のシステム。
【請求項８】
前記過荷重部分は、前記第２の部材の方に配置されたコレットスリーブ過荷重アクチュエータを更に有しており、
前記コレットスリーブ過荷重アクチュエータは、前記過荷重ピストンが前記過荷重外側スリーブに対して移動させられるとき、前記コレットスリーブ過荷重受け部と係合し、前記コレットスリーブを前記第２の部材から離れて長手方向に移動させることが可能であり、
前記指状体を前記係合部材からラジアル方向の外側に引っ張り、前記指状体を前記係合部材から外し、前記第２の部材を外すために、前記コレットスリーブは、該コレットスリーブが前記第２の部材から離れて長手方向に移動させられるとき、前記指状体と係合可能であることを特徴とする請求項７に記載のシステム。
【請求項９】
第１の部材と第２の部材とを着脱可能に連結するための方法において、
前記第１の部材は、前記第２の部材と係合可能な複数の指状体を有するコレットと摺動可能に連結されており、前記コレットは、コレットスリーブ過荷重受け部を有するコレットスリーブに摺動可能に連結されており、前記第１の部材は、過荷重貯蔵室、前記第２の部材の方に配置されたコレットスリーブ過荷重アクチュエータ及び過荷重圧力部材を有する過荷重部分と摺動可能に連結されており、
前記第１の部材と前記第２の部材との間の引張応力に基づいて、前記過荷重貯蔵室内の流体を所定の圧力より高い圧力に加圧することを可能にし、
前記過荷重貯蔵室内の流体を前記過荷重圧力部材により前記過荷重貯蔵室から流出させることを可能にし、
前記過荷重貯蔵室を少なくとも部分的に縮小し、
前記コレットスリーブ過荷重アクチュエータが、前記コレットスリーブ過荷重受け部と係合し、前記コレットスリーブを前記第２の部材から離れて長手方向に移動させることを可能にし、
前記第１の部材を前記コレット及び前記第２の部材から離れて長手方向に移動させることを可能にし、
前記第１の部材及び前記第２の部材の連結を解放可能に外すために、前記指状体を強制的に前記第２の部材からラジアル方向に外す
ことを特徴とする方法。
【請求項１０】
第１の部材を第２の部材から外すための海中システムにおいて、
前記第１の部材に接続可能な第１の部分と、
前記第２の部材に接続可能な第２の部分と、
該第２の部分に対して摺動可能に配置されたコレットスリーブ、
前記第１の部分に摺動可能に連結されており、前記第２の部分に対する前記コレットスリーブの摺動可能な移動により前記第２の部分と選択的に係合可能な複数の可撓性の指状体を有するコレット、及び
過荷重部分に連結されており、受け面を有するコネクタ
を有しており、前記第１の部分に摺動可能に連結され、前記第２の部分を着脱可能に係合することが可能な接続部分と
を備えており、
前記コレットは、前記コネクタに連結されており、前記第２の部分は、前記コネクタの受入面と着脱可能に係合可能な合わせ面を有する係合部材を備えており、
前記コレットスリーブは、コレットスリーブ壁を有しており、前記コネクタ及び前記過荷重部分と摺動可能に係合可能であり、
前記過荷重部分の方に配置されたコレットスリーブ過荷重受け部、
前記コレットスリーブ壁を介して配置された第１のポート、
前記コレットスリーブ壁を介して配置された第２のポート、及び
前記第１のポートと前記第２のポートとの間に配置されたコレットスリーブピストン
を有しており、前記コレットスリーブ壁、前記コネクタ及び前記コレットに囲まれた体積が、前記コレットスリーブピストンが摺動可能なコネクタ貯蔵室を形成しており、
前記過荷重部分は、前記第１の部分に連結されており、前記第１の部材と前記第２の部材との間の引張応力が所定の応力を超えると、前記接続部分の係合を無効にすることが可能であり、前記過荷重部分は、
過荷重貯蔵室と、
所定量未満の圧力での前記過荷重貯蔵室からの流体の流出を制限することが可能な過荷重圧力部材と、
前記第２の部材の方に配置されたコレットスリーブ過荷重アクチュエータと
を有しており、
前記コレットスリーブ過荷重アクチュエータは、前記過荷重ピストンが前記過荷重外側スリーブに対して移動させられるとき、前記コレットスリーブ過荷重受け部と係合し、前記コレットスリーブを前記第２の部材から離れて長手方向に移動させることが可能であり、
前記指状体を前記係合部材からラジアル方向の外側に引っ張り、前記指状体を前記係合部材から外し、前記第２の部材を外すために、前記コレットスリーブは、該コレットスリーブが前記第２の部材から離れて長手方向に移動させられるとき、前記指状体と係合可能であることを特徴とするシステム。